(57)【要約】【目的】  本発明の目的は、一つ装置にデータの処理が集中することなく且つ安価に構成することができる局地気象予測システム及び局地気象予測方法を提供する。【構成】  センターサーバ100 は、気象センター10と広域ネットワーク400 を介して接続されており且つ気象センター10から送信された広域の気象観測データαを受信してサーバ200 に配信する機能を有しており、サーバ200 は、当該サーバ200 の周辺の気象データを測定し、且つその測定結果をセンシングデータβとして送信する機能を有したセンシング機器300 とホームネットワーク500 を介して接続されており、且つセンシングデータβを受信する一方、広域の気象観測データαを受信し、この広域の気象観測データαからサーバ200 の設置場所が属する地域の気象観測データαを抽出し、この地域の気象観測データαとセンシングデータβとに基いて当該サーバ200 の周辺の局地気象予測を行う機能を有する。【選択図】      図１
2005221431.tif 000002
【特許請求の範囲】
【請求項１】
センターサーバと、センターサーバと広域ネットワークを介して各々接続されており且つ当該センターサーバとの間でデジタル情報の送受信を行う複数のクライアント及び／又はサーバとを具備したネットワークシステムであって、
センターサーバは、気象センターと広域ネットワークを介して接続されており且つ気象センターから送信された広域の気象観測データを受信してクライアント及び／又はサーバに配信する機能を有しており、
クライアント及び／又はサーバは、当該クライアント及び／又はサーバの周辺の気温、湿度及び／又は風速風向等の気象データを測定し、且つその測定結果をセンシングデータとして送信する機能を有したセンシング機器とホームネットワークを介して接続されており、且つセンシングデータを受信する一方、広域の気象観測データを受信し、この広域の気象観測データからクライアント及び／又はサーバの設置場所が属する地域の気象観測データを抽出し、この地域の気象観測データと前記センシングデータとに基いて当該クライアント及び／又はサーバの周辺の局地気象予測を行う機能を有することを特徴とする局地気象予測システム。
【請求項２】
請求項１記載の局地気象予測システムにおいて、クライアント及び／又はサーバは、センシングデータを記憶するストレージを有し、当該センシングデータをセンターサーバに向けて送信するようになっており、
センターサーバは、クライアント及び／又はサーバのセンシングデータを受信すると、クライアント及び／又はサーバの位置情報に基づき当該センシングデータを各クライアント及び／又はサーバを中心とする所定の範囲内に存在する他のクライアント及び／又はサーバ又は各クライアント及び／又はサーバが属する地域の他のクライアント及び／又はサーバに向けて配信するようになっており、
クライアント及び／又はサーバは、他のクライアント及び／又はサーバのセンシングデータを受信し、この他のクライアント及び／又はサーバのセンシングデータと、ストレージに記憶した自身のセンシングデータと、前記地域の気象観測データとに基いて当該クライアント及び／又はサーバの周辺の局地気象予測を行う機能を有することを特徴とする局地気象予測システム。
【請求項３】
請求項１又は２記載の局地気象予測システムにおいて、センターサーバは、クライアント及び／又はサーバの代わりに、前記広域の気象観測データから各地域の気象観測データを抽出し、当該地域の気象観測データを前記位置情報に基づきクライアント及び／又はサーバに向けて送信するようになっていることを特徴とする局地気象予測システム。
【請求項４】
請求項１、２又は３記載の局地気象予測システムにおいて、クライアント及び／又はサーバは局地気象予測結果をセンターサーバに向けて各々送信するようになっており、センターサーバはクライアント及び／又はサーバの局地気象予測結果を受信すると、当該局地気象予測結果を地域毎に統合する処理を行うようになっていることを特徴とする局地気象予測システム。
【請求項５】
請求項１、２、３又は４記載の局地気象予測システムにおいて、サーバは、ストレージ上に少なくともサービスプロバイダーにより使用されるセキュアなサービスプロバイダー領域と、ユーザーによりアクセス可能なユーザー領域とが設けられており、
センターサーバは、全サーバの暗号鍵の管理を行うと共に、全サーバのサービスプロバイダー領域のメモリ使用容量及びＣＰＵの稼働率の管理を行うようになっており、全クライアント及び／又はサーバの局地気象予測結果を受信すると、管理データを参照して当該センターサーバの代わりに局地気象予測結果を地域毎に統合する処理を行うのに適した一又は複数のサーバを探し、当該一又は複数のサーバのユーザー領域に自身のサービスプロバイダー領域にアクセスするための暗号鍵を含むアクセスデータと予測結果の統合の処理を行うための統合処理プログラムとを送信する一方、当該一又は複数のサーバのサービスプロバイダー領域に暗号鍵を用いてアクセスし、局地気象予測結果を記録するようになっており、
前記一又は複数のサーバは、アクセスデータ等を受信すると、自身のサービスプロバイダー領域にアクセスし、その後、統合処理プログラムを処理して局地気象予測結果の地域毎の統合の処理を行い、その結果をセンターサーバに向けて送信するようになっていることを特徴とする局地気象予測方法。
【請求項６】
センシング機器により測定され、送信されるクライアント及び／又はサーバの周辺の気温、湿度及び／又は風速風向等のセンシングデータと、センターサーバを介して送信される気象センターの広域の気象観測データとを前記クライアント及び／又はサーバに提供し、
当該クライアント及び／又はサーバにより、前記広域の気象観測データから当該クライアント及び／又はサーバの設置場所が属する地域の気象観測データを抽出させ、当該地域の気象観測データと前記センシングデータとに基いて局地気象予測を行わせるようにしたことを特徴とする局地気象予測方法。
【請求項７】
複数のクライアント及び／又はサーバのうち一のクライアント又はサーバの周辺の気温、湿度及び／又は風速風向等のセンシングデータを複数のセンシング機器のうち一のセンシング機器により測定させる一方、一のクライアント又はサーバを中心とする所定の範囲内に存在する他のクライアント及び／又はサーバ或いは一のクライアント又はサーバが属する地域に存在する他のクライアント及び／又はサーバの周辺の気温、湿度及び／又は風速風向等のセンシングデータを他のセンシング機器に測定させ、
一のセンシング機器により送信される一のクライアント又はサーバのセンシングデータと、
他のセンシング機器によりセンターサーバを介して送信される他のクライアント及び／又はサーバのセンシングデータと、
気象センターによりセンターサーバを介して送信される広域の気象観測データとを一のクライアント又はサーバに提供し、
当該一のクライアント又はサーバに、前記広域の気象観測データから当該クライアント又はサーバが属する地域の気象観測データを抽出させ、その後、一のセンシング機器のセンシングデータと他のセンシング機器のセンシングデータと前記地域の気象観測データとに基いて局地気象予測を行わせるようにしたことを特徴とする局地気象予測方法。
【請求項８】
請求項６又は７記載の局地気象予測方法において、一のクライアント又はサーバの代わりに、センターサーバに前記広域の気象観測データから一のクライアント又はサーバが属する地域の気象観測データを抽出させ、当該地域の気象観測データを一のクライアント又はサーバに送信させるようにしたことを特徴とする局地気象予測方法。
【請求項９】
請求項６、７又は８記載の局地気象予測方法において、一のクライアント及び／又はサーバに局地気象予測結果をセンターサーバに向けて送信させ、センターサーバに局地気象予測結果を地域毎に統合させるようにしたことを特徴とする局地気象予測方法。
【発明の詳細な説明】
【技術分野】
【０００１】
本発明は局地の気象予測を行う局地気象予測システム及び局地気象予測方法に関する。
【背景技術】
【０００２】
この種の局地気象予測システムとしては、各局地に備えられた複数の気象データ収集装置と、この気象データ収集装置から入力される気象データに基いて各局地の気象予測を行う気象予測装置とを具備している( 特許文献１参照) 
【０００３】
【特許文献１】特開平０９−２３８１１１号公報
【発明の開示】
【発明が解決しようとする課題】
【０００４】
しかしながら、前記局地気象予測システムは、気象予測装置に気象データの処理が集中する構成となっている。即ち、膨大なデータの解析が必要である気象予測において、気象予測装置に非常に大きな負担がかかる構成となっている。このため、気象予測装置については、非常に高性能なものを用意する必要があり、その結果、前記局地気象予測システムはコスト高になるという本質的な問題を有している。
【０００５】
本発明は、上記事情に鑑みて創案されたものであって、その目的とするところは、一つ装置にデータの処理が集中することなく且つ安価に構成することができる局地気象予測システム及び局地気象予測方法を提供することにある。
【課題を解決するための手段】
【０００６】
上記課題を解決するために、本発明の局地気象予測システムは、センターサーバと、センターサーバと広域ネットワークを介して各々接続されており且つ当該センターサーバとの間でデジタル情報の送受信を行う複数のクライアント、サーバその他のネット機器とを具備したネットワークシステムであって、センターサーバは、気象センターと広域ネットワークを介して接続されており且つ気象センターから送信された広域の気象観測データを受信してクライアント、サーバその他のネット機器に配信する機能を有しており、クライアント、サーバその他のネット機器は、当該クライアント、サーバその他のネット機器の周辺の気温、湿度及び／又は風速風向等の気象データを測定し、且つその測定結果をセンシングデータとして送信する機能を有したセンシング機器とホームネットワークを介して接続されており、且つセンシングデータを受信する一方、広域の気象観測データを受信し、この広域の気象観測データからクライアント、サーバその他のネット機器の設置場所が属する地域の気象観測データを抽出し、この地域の気象観測データと前記センシングデータとに基いて当該クライアント、サーバその他のネット機器の周辺の局地気象予測を行う機能を有することを特徴としている。
【０００７】
クライアント、サーバその他のネット機器は、センシングデータを記憶するストレージを有し、当該センシングデータをセンターサーバに向けて送信するようになっており、センターサーバは、クライアント、サーバその他のネット機器のセンシングデータを受信すると、クライアント、サーバその他のネット機器の位置情報に基づき当該センシングデータを各クライアント、サーバその他のネット機器を中心とする所定の範囲内に存在する他のクライアント、サーバその他のネット機器又は各クライアント、サーバその他のネット機器が属する地域の他のクライアント、サーバその他のネット機器に向けて配信するようになっており、クライアント、サーバその他のネット機器は、他のクライアント、サーバその他のネット機器のセンシングデータを受信し、この他のクライアント、サーバその他のネット機器のセンシングデータと、ストレージに記憶した自身のセンシングデータと、前記地域の気象観測データとに基いて当該クライアント、サーバその他のネット機器の周辺の局地気象予測を行う機能を有している。
【０００８】
また、センターサーバは、クライアント、サーバその他のネット機器の代わりに、前記広域の気象観測データから各地域の気象観測データを抽出し、当該地域の気象観測データを前記位置情報に基づきクライアント、サーバその他のネット機器に向けて送信するように構成することも可能である。
【０００９】
好ましくは、クライアント、サーバその他のネット機器は局地気象予測結果をセンターサーバに向けて各々送信するようになっており、センターサーバはクライアント、サーバその他のネット機器の局地気象予測結果を受信すると、当該局地気象予測結果を地域毎に統合する処理を行うようになっていることが望ましい。
【００１０】
サーバについては、ストレージ上に少なくともセンターサーバにより提供される暗号鍵により外部アクセスが可能なサービスプロバイダー領域と、ユーザーによりアクセス可能なユーザー領域とが設けられたものを用いることができる。この場合、センターサーバは、全サーバの暗号鍵の管理を行うと共に、全サーバのサービスプロバイダー領域のメモリ使用容量及びＣＰＵの稼働率の管理を行うようになっており、全クライアント、サーバその他のネット機器の局地気象予測結果を受信すると、管理データを参照して当該センターサーバの代わりに局地気象予測結果を地域毎に統合する処理を行うのに適した一又は複数のサーバを探し、当該一又は複数のサーバのユーザー領域に自身のサービスプロバイダー領域にアクセスするための暗号鍵を含むアクセスデータと予測結果の統合の処理を行うための統合処理プログラムとを送信する一方、当該一又は複数のサーバのサービスプロバイダー領域に暗号鍵を用いてアクセスし、局地気象予測結果を記録するようになっており、前記一又は複数のサーバは、アクセスデータ等を受信すると、自身のサービスプロバイダー領域にアクセスし、その後、統合処理プログラムを処理して局地気象予測結果の地域毎の統合の処理を行い、その結果をセンターサーバに向けて送信するようになっている。
【００１１】
また、本発明の局地気象予測方法は、センシング機器により測定され、送信されるクライアント、サーバその他のネット機器の周辺の気温、湿度及び／又は風速風向等のセンシングデータと、センターサーバを介して送信される気象センターの広域の気象観測データとを前記クライアント、サーバその他のネット機器に提供し、当該クライアント、サーバその他のネット機器により、前記広域の気象観測データから当該クライアント、サーバその他のネット機器の設置場所が属する地域の気象観測データを抽出させ、当該地域の気象観測データと前記センシングデータとに基いて局地気象予測を行わせるようにしたことを特徴としている。
【００１２】
本発明の別の局地気象予測方法は、複数のクライアント、サーバその他のネット機器のうち一のクライアント又はサーバの周辺の気温、湿度及び／又は風速風向等のセンシングデータを複数のセンシング機器のうち一のセンシング機器により測定させる一方、一のクライアント又はサーバを中心とする所定の範囲内に存在する他のクライアント、サーバその他のネット機器或いは一のクライアント又はサーバが属する地域に存在する他のクライアント、サーバその他のネット機器の周辺の気温、湿度及び／又は風速風向等のセンシングデータを他のセンシング機器に測定させ、一のセンシング機器により送信される一のクライアント又はサーバのセンシングデータと、他のセンシング機器によりセンターサーバを介して送信される他のクライアント、サーバその他のネット機器のセンシングデータと、気象センターによりセンターサーバを介して送信される広域の気象観測データとを一のクライアント又はサーバに提供し、当該一のクライアント又はサーバに、前記広域の気象観測データから当該クライアント又はサーバが属する地域の気象観測データを抽出させ、その後、一のセンシング機器のセンシングデータと他のセンシング機器のセンシングデータと前記地域の気象観測データとに基いて局地気象予測を行わせるようにしたようにしたことを特徴としている。
【００１３】
一のクライアント又はサーバの代わりに、センターサーバに前記広域の気象観測データから一のクライアント又はサーバが属する地域の気象観測データを抽出させ、当該地域の気象観測データを一のクライアント又はサーバに送信させるようにすることもできる。
【００１４】
好ましくは、一のクライアント、サーバその他のネット機器に局地気象予測結果をセンターサーバに向けて送信させ、センターサーバに局地気象予測結果を地域毎に統合させるようにすることが望ましい。
【発明の効果】
【００１５】
本発明の請求項１に係る局地気象予測システムによる場合、各クライアント、サーバその他のネット機器が地域の気象観測データと前記センシングデータとに基いて局地気象予測を行うようになっているので、従来例のごとくセンターサーバに局地気象予測の処理が集中することがなく、センターサーバの負担が少なくなる。
【００１６】
本発明の請求項２に係る局地気象予測システムによる場合、各クライアント、サーバその他のネット機器が、地域の気象観測データと、自身のセンシングデータと、他のクライアント、サーバその他のネット機器のセンシングデータとに基いて局地気象予測を行うようになっているので、さらに正確な局地気象予測を行うことができる。
【００１７】
本発明の請求項３に係る局地気象予測システムによる場合、センターサーバで広域の気象観測データから地域の気象観測データを抽出するようになっているので、各クライアント、サーバその他のネット機器に局地気象予測の処理が集中し過ぎないようにすることができる。
【００１８】
本発明の請求項４に係る局地気象予測システムによる場合、センターサーバが各クライアント、サーバその他のネット機器の局地気象予測結果を統合する処理を行うようになっている。よって、その結果をホームページ等に外部出力することで、各クライアント、サーバその他のネット機器のユーザーは、外出先である他の局地気象予測結果を見ることができる。また、統合された局地気象予測結果のデータは有益なものであるので、それを所望する気象関係期間や企業に売却することができる。
【００１９】
本発明の請求項５に係る局地気象予測システムによる場合、サーバのサービスプロバイダー領域上で局地気象予測結果の統合の処理を行うことができるので、局地気象予測に関するセンターサーバの処理の負担をさらに軽くすることができる。
【００２０】
本発明の請求項７、８、９又は１０に係る局地気象予測方法による場合、上記局地気象予測システムと同様の効果を奏する。
【発明を実施するための最良の形態】
【００２１】
以下、本発明の第１の実施の形態に係る局地気象予測システムについて図面を参照しながら説明する。図１は本発明の第１の実施の形態に係る局地気象予測システムのブロック図、図２は気象観測データ送信用割込プログラムのフローチャート、図３はセンシングデータ分配用割込プログラムのフローチャート、図４は局地気象予測集計用割込プログラムのフローチャート、図５はセンシングデータ送信用割込プログラムのフローチャート、図６はセンシングデータ記憶用割込プログラムのフローチャート、図７は気象観測データ抽出用割込プログラムのフローチャート、図８は局地気象予測用割込プログラムのフローチャート、図９は局地気象予測結果送信用割込プログラムのフローチャートである。
【００２２】
図１に示す局地気象予測システムＡは、センターサーバ１００と、センターサーバ１００と光通信ネットワークを用いた広域ネットワーク４００を介して各々接続されており且つ当該センターサーバ１００との間でデジタル情報の送受信を行う複数のサーバ２００ａ、２００ｂ、２００ｃ( ここでは例示的に３つとする) とを具備したネットワークシステムである。以下、各部を詳しく説明する。
【００２３】
センターサーバ１００は、広域ネットワーク４００の回線接続の管理という基本機能を有し、サーバ２００ａ、２００ｂ、２００ｃに各種のデジタル情報を提供する管理サーバである。このセンターサーバ１００は、広域ネットワーク４００の末端と接続された通信部１０１、１０１と、上述したメモリ使用容量及びＣＰＵの稼働率の管理データ及びサーバ２００ａ、２００ｂ、２００ｃを管理するための各種の管理データが記憶されたストレージ１２０と、全体を制御する制御部１３０とを有する基本構成となっている。なお、管理データには、ユーザーの個人データやサーバ２００ａ、２００ｂ、２００ｃの設置場所である住宅２０ａ、２０ｂ、２０ｃの位置情報が含まれている。
【００２４】
このセンターサーバ１００は、サーバ２００ａ、２００ｂ、２００ｃのサービスプロバイダー領域２２２ａ、２２２ｂ、２２２ｃ及び公共領域２２３ａ、２２３ｂ、２２３ｃに外部アクセスするための暗号鍵ｋ１、ｋ２、ｋ３、ｋ４、ｋ５、ｋ６の管理を行うと共に、サーバ２００ａ、２００ｂ、２００ｃのサービスプロバイダー領域２２２ａ、２２２ｂ、２２２ｃ及び公共領域２２３ａ、２２３ｂ、２２３ｃのメモリ使用容量及びＣＰＵの稼働率の管理を行う機能と、サーバ２００ａ、２００ｂ、２００ｃからストレージ借り及び／又はＣＰＵ借りのサービスの提供の要求を受けると、公共領域２２３ａ、２２３ｂ、２２３ｃのメモリ使用容量及び／又はＣＰＵの稼働率の管理データを参照してサービスの提供を行うのに適した一又は複数のサーバ２００ａ、２００ｂ、２００ｃを探し、当該一又は複数のサーバ２００ａ、２００ｂ、２００ｃに対して暗号鍵ｋ１、ｋ２、ｋ３を含むアクセスデータを付与する機能と、当該センターサーバ１００の処理を代行させるに当たって、サービスプロバイダー領域２２２ａ、２２２ｂ、２２２ｃのメモリ使用容量及び／又はＣＰＵの稼働率の管理データを参照して代行を行うのに適した一又は複数のサーバ２００ａ、２００ｂ、２００ｃを探し、当該一又は複数のサーバ２００ａ、２００ｂ、２００ｃに対して暗号鍵ｋ１、ｋ２、ｋ３を含むアクセスデータと代行処理を行うための処理プログラムを付与する機能とが付加されたものである。
【００２５】
センターサーバ１００は、気象センター１０と広域ネットワーク４００を介して接続されている。センターサーバ１００は、上記機能の他、気象センター１０から所定期間毎に送信される広域の気象観測データαを受信し、サーバ２００ａ、２００ｂ、２００ｃに向けて送信する一方、サーバ２００ａ、２００ｂ、２００ｃから所定期間毎に送信されるセンシングデータβ１、β２、β３を受信し、位置情報に基いてサーバ２００ａ、２００ｂ、２００ｃに分配する機能を有している。なお、ここでいう気象センター１０とは、気象観測衛星や地域気象観測システム等を使用して広域の気象観測データαを所定時間毎集計し、気象予報等を行う機関のことである。
【００２６】
ストレージ１２０には、制御プログラムやサーバ２００ａ、２００ｂ、２００ｃ間のサービスの提供を行う機能を実現するためのプログラムの他、局地気象予測に関するプログラムが記憶されている。局地気象予測に関するプログラムとしては、気象観測データ送信用割込プログラム( 図２参照) 、センシングデータ分配用割込プログラム( 図３参照) 及び局地気象予測集計用割込プログラム( 図４参照) がある。
【００２７】
これらのプログラムを制御部１３０が処理することにより、前記機能を実現するようになっているのである。
【００２８】
サーバ２００ａ、２００ｂ、２００ｃは、住宅２０ａ、２０ｂ、２０ｃ( 住宅２０ａ、２０ｂ、２０ｃは同じ局地Ｘ１に属し、住宅２０ａ、２０ｂ、２０ｃがそれぞれを中心とする半径約５０ｍの範囲内に存在するものとする。) に設置され、センターサーバ１００から送信されたデジタル情報を受信し、このデジタル情報を無線通信ネットワークを使用したホームネットワーク５００介して図示しない情報家電機器に電波として送信するホームサーバである。このサーバ２００ａ、２００ｂ、２００ｃは、ホームネットワーク５００の末端と接続された通信部２０１ａ、２０１ｂ、２０１ｃと、広域ネットワーク４００の末端と接続された通信部２０２ａ、２０２ｂ、２０２ｃと、ユーザー領域２２１ａ、２２１ｂ、２２１ｃ、サービスプロバイダー領域２２２ａ、２２２ｂ、２２２ｃ及び公共領域２２３ａ、２２３ｂ、２２３ｃを有するストレージ２２０ａ、２２０ｂ、２２０ｃと、全体を制御する制御部２３０ａ、２３０ｂ、２３０ｃとを有する基本構成となっている。
【００２９】
このサーバ２００ａ、２００ｂ、２００ｃは、他のサーバ２００ａ、２００ｂ、２００ｃの公共領域２２３ａ、２２３ｂ、２２３ｃのストレージ借り及び／又はＣＰＵ借りのサービスの提供の要求を行う機能と、センターサーバ１００により付与されたアクセスデータ及び／又は処理プログラムに基いて自身又は他のサーバ２００ａ、２００ｂ、２００ｃのサービスプロバイダー領域２２２ａ、２２２ｂ、２２２ｃ及び公共領域２２３ａ、２２３ｂ、２２３ｃにアクセスし処理を行う機能とが付加されている。
【００３０】
サーバ２００ａ、２００ｂ、２００ｃはホームネットワーク５００を介してセンシング機器３００ａ、３００ｂ、３００ｃと接続されている。
【００３１】
サーバ２００ａ、２００ｂ、２００ｃは、上記機能の他、センシングデータβ１、β２、β３を受信し記憶する一方、センターサーバ１００に向けて送信する機能と、広域の気象観測データαを受信すると、位置情報に基いて広域の気象観測データαから局地Ｘ１の気象観測データαを抽出する機能と、局地Ｘ１の気象観測データαと、センシングデータβ１、β２、β３とに基いて局地Ｘ１局地気象予測を行う機能を有している。
【００３２】
センシング機器３００ａ、３００ｂ、３００ｃは、住宅２０ａ、２０ｂ、２０ｃの屋上やベランダ等に設けられる気象観測センサである。このセンシング機器３００ａ、３００ｂ、３００ｃは、住宅２０ａ、２０ｂ、２０ｃの周辺の気温及び湿度を測定する第１の測定機器３１０ａ、３１０ｂ、３１０ｃと、住宅２０ａ、２０ｂ、２０ｃの周辺の風速及び風向を測定する第２の測定機器３２０ａ、３２０ｂ、３２０ｃと、無線ＬＡＮカードが挿入されるポート( 図示しない) とを有する構成となっている。
【００３３】
このセンシング機器３００ａ、３００ｂ、３００ｃはホームネットワーク５００を通じて第１の測定機器３１０ａ、３１０ｂ、３１０ｃ、第２の測定機器３２０ａ、３２０ｂ、３２０ｃの測定結果をセンシングデータβ１、β２、β３としてサーバ２００ａ、２００ｂ、２００ｃに向けて送信する機能を有している。
【００３４】
通信部２０１ａ、２０１ｂ、２０１ｃは、情報通信家電の電波を受信し、当該電波に含まれる各種のデータを読み出す一方、各種のデータを電波に乗せて情報通信家電に出力する基本機能の他に、センシング機器３００ａ、３００ｂ、３００ｃの電波を受信し、当該電波に含まれるセンシングデータβ１、β２、β３等のデータを読み出す機能が付加されている。
【００３５】
ストレージ２２０ａ、２２０ｂ、２２０ｃに関しては、１つのハードディスクを、ユーザーによりアクセス可能なユーザー領域２２１ａ、２２１ｂ、２２１ｃと、センターサーバ１００の管理者であるサービスプロバイダーの処理の代行のために使用されるセキュアなサービスプロバイダー領域２２２ａ、２２２ｂ、２２２ｃと、サーバ２００ａ、２００ｂ、２００ｃ間のサービスの授受のために使用されるセキュアな公共領域２２３ａ、２２３ｂ、２２３ｃとに分割して用いている。このストレージ２２０ａ、２２０ｂ、２２０ｃのバスライン上にはセキュリティーチップ( 図示せず) が設けられており、このセキュリティーチップによりサービスプロバイダー領域２２２ａ、２２２ｂ、２２２ｃ及び公共領域２２３ａ、２２３ｂ、２２３ｃに対するアクセスの認証を行うようになっている。
【００３６】
即ち、サービスプロバイダー領域２２２ａ、２２２ｂ、２２２ｃについては、センターサーバ１００により提供される暗号鍵ｋ１、ｋ２、ｋ３の認証がない限りサービスプロバイダー領域２２２ａ、２２２ｂ、２２２ｃにはアクセスできないようになっている。公共領域２２３ａ、２２３ｂ、２２３ｃについても、同様に、センターサーバ１００により提供される別の暗号鍵ｋ４、ｋ５、ｋ６の認証がない限りサービスプロバイダー領域２２２ａ、２２２ｂ、２２２ｃにはアクセスできないようになっている。このようにしてサービスプロバイダー領域２２２ａ、２２２ｂ、２２２ｃをセキュアな領域とするのである。
【００３７】
ユーザー領域２２１ａ、２２１ｂ、２２１ｃには、制御プログラム、ストレージ借りやＣＰＵ借りのサービスの提供の要求を行うためのプログラム、アクセスデータ等に基いて自身又は他のサーバ２００ａ、２００ｂ、２００ｃのサービスプロバイダー領域２２２ａ、２２２ｂ、２２２ｃ又は公共領域２２３ａ、２２３ｂ、２２３ｃにアクセスするためのプログラムの他、局地気象予測のためのプログラムが記憶されている。局地気象予測のためのプログラムとしては、センシングデータ送信用割込プログラム( 図５参照) 、センシングデータ記憶用割込プログラム( 図６参照) 、気象観測データ抽出用割込プログラム( 図７参照) 、局地気象予測用割込プログラム( 図８参照) 及び局地気象予測結果送信用割込プログラム( 図９参照) がある。また、ユーザー領域２２１ａ、２２１ｂ、２２１ｃには、サーバ２００ａ、２００ｂ、２００ｃのユーザーの個人データや位置情報等が記憶されている。
【００３８】
これらのプログラムを制御部２３０ａ、２３０ｂ、２３０ｃが処理することにより、上記の機能を実現するようになっている。
【００３９】
以下、このように構成された局地気象予測システムＡのシステムの流れを説明すると共に、センターサーバ１００の制御部１３０により処理される各プログラム及びサーバ２００ａ、２００ｂ、２００ｃの制御部２３０ａ、２３０ｂ、２３０ｃにより処理される各プログラムの処理について詳しく説明する。
【００４０】
まず、サーバ２００ａ、２００ｂ、２００ｃは、センシングデータβ１、β２、β３を受信すると、図５に示すセンシングデータ送信用割込プログラムを処理する。これによりセンシングデータβ１、β２、β３をユーザー領域２２１ａ、２２１ｂ、２２１ｃに記憶する( Ｓ１) 。そして、センシングデータβ１、β２、β３をセンターサーバ１００に向けて送信し( Ｓ２) 、センシングデータ記憶用割込プログラムの処理を終了する。
【００４１】
センターサーバ１００は、センシングデータβ１、β２、β３を受信すると、図３に示すセンシングデータ分配用割込プログラムを処理する。まず、ストレージ１２０からサーバ２００ａ、２００ｂ、２００ｃの住宅２０ａ、２０ｂ、２０ｃの位置情報を読み出す( Ｓ３) 。その後、この位置情報に基いてサーバ２００ａのセンシングデータβ１を、サーバ２００ａを中心とする半径５０ｍ以内の他のサーバ２００ｂ、２００ｃに向けて送信し、サーバ２００ｂのセンシングデータβ２を、サーバ２００ｂを中心とする半径５０ｍ以内の他のサーバ２００ａ、２００ｃに向けて送信し、サーバ２００ｃのセンシングデータβ３を、サーバ２００ｃを中心とする半径５０ｍ以内の他のサーバ２００ａ、２００ｂに向けて送信する( Ｓ４) 。このようにしてセンシングデータβ１、β２、β３を分配する。その後、センシングデータ分配用割込プログラムの処理を終了する。
【００４２】
サーバ２００ａは、他のサーバ２００ｂ、２００ｃのセンシングデータβ２、β３を受信すると、図６に示すセンシングデータ記憶用割込プログラムを処理する。これによりセンシングデータβ２、β３をユーザー領域２２１ａに記憶する( Ｓ６) 。同様に、サーバ２００ｂは、他のサーバ２００ａ、２００ｃのセンシングデータβ１、β３を受信すると、図６に示すセンシングデータ記憶用割込プログラムを処理し、センシングデータβ１、β３をユーザー領域２２１ｂに記憶する( Ｓ６) 。サーバ２００ｃは、他のサーバ２００ａ、２００ｂのセンシングデータβ１、β２を受信すると、図６に示すセンシングデータ記憶送割込プログラムを処理し、センシングデータβ１、β２をユーザー領域２２１ｃに記憶する( Ｓ６) 。その後、センシングデータ記憶送割込プログラムの処理を終了する。
【００４３】
他方、センターサーバ１００は、気象センター１０の広域の気象観測データαを受信すると、図２に示す気象観測データ抽出送信用割込プログラムを処理する。これにより広域の気象観測データαをサーバ２００ａ、２００ｂ、２００ｃに向けて送信する( Ｓ７) 。その後、気象観測データ送信用割込プログラムの処理を終了する。
【００４４】
サーバ２００ａ、２００ｂ、２００ｃは、広域の気象観測データαを受信すると、図７に示す気象観測データ抽出用割込プログラムを処理する。まず、ユーザー領域２２１ａ、２２１ｂ、２２１ｃからサーバ２００ａ、２００ｂ、２００ｃの住宅２０ａ、２０ｂ、２０ｃの位置情報を読み出す( Ｓ８) 。その後、この位置情報に基いて広域の気象観測データαから住宅２０ａ、２０ｂ、２０ｃが属する局地Ｘ１の気象観測データαを抽出し( Ｓ９) 、ユーザー領域２２１ａ、２２１ｂ、２２１ｃに各々記憶する( Ｓ１０）。その後、図８に示す局地気象予測用割込プログラムを処理し( Ｓ１１) 、気象観測データ抽出用割込プログラムの処理を終了する。
【００４５】
ステップ１１において、局地気象予測用割込プログラムを処理すると、サーバ２００ａは、ユーザー領域２２１ａに記憶した自身のセンシングデータβ１と、他のサーバ２００ｂ、２００ｃのセンシングデータβ２、β３と、局地Ｘ１の気象観測データαとを読み出す( Ｓ１２) 。同様に、サーバ２００ｂは、ユーザー領域２２１ｂに記憶した自身のセンシングデータβ２と、他のサーバ２００ａ、２００ｃのセンシングデータβ１、β３と、局地Ｘ１の気象観測データαとを読み出す( Ｓ１２) 。同様に、サーバ２００ｃは、ユーザー領域２２１ｃに記憶した自身のセンシングデータβ３と、他のサーバ２００ａ、２００ｂのセンシングデータβ１、β２と、局地Ｘ１の気象観測データαとを読み出す( Ｓ１２) 。
【００４６】
そして、サーバ２００ａは、自身のセンシングデータβ１、他のセンシングデータβ２、β３及び局地Ｘ１の気象観測データαを局地気象予測割込プログラムに含まれる数値気象モデルの方程式に代入し、これによりサーバ２００ａの住宅２０ａを中心とする半径５０ｍ以内の局地気象予測を行い、局地気象予測結果γ１を算出する( Ｓ１３) 。同様に、サーバ２００ｂは、自身のセンシングデータβ２、他のセンシングデータβ１、β３及び局地Ｘ１の気象観測データαを数値気象モデルの方程式に代入し、これによりサーバ２００ｂの住宅２０ｂを中心とする半径５０ｍ以内の局地気象予測を行い、局地気象予測結果γ２を算出する( Ｓ１３) 。同様に、サーバ２００ｃは、自身のセンシングデータβ３、他のセンシングデータβ１、β２及び局地Ｘ１の気象観測データαを数値気象モデルの方程式に代入し、これによりサーバ２００ｃの住宅２０ｃを中心とする半径５０ｍ以内の局地気象予測を行い、局地気象予測結果γ３を算出する( Ｓ１３) 。
【００４７】
その後、サーバ２００ａは、局地気象予測結果γ１をユーザー領域２２１ａに記憶する( Ｓ１４) 。同様に、サーバ２００ｂは局地気象予測結果γ２をユーザー領域２２１ｂに、サーバ２００ｃは局地気象予測結果γ３をユーザー領域２２１ｃに記憶する( Ｓ１４) 。そして、局地気象予測用割込プログラムの処理を終了する。
【００４８】
サーバ２００ａ、２００ｂ、２００ｃは、所定期間毎に図９に示す局地気象予測結果送信割込プログラムを処理する。そして、局地気象予測結果γ１、γ２、γ３をユーザー領域２２１ａ、２２１ｂ、２２１ｃから読み出し( Ｓ１６）、局地気象予測結果γ１、γ２、γ３をセンターサーバ１００に向けて送信する( Ｓ１７）。その後、局地気象予測結果送信割込プログラムの処理を終了する。
【００４９】
センターサーバ１００は、局地気象予測結果γ１、γ２、γ３を受信すると、図４に示す局地気象予測結果集計用割込プログラムを処理する。そして、ストレージ１２０からサーバ２００ａ、２００ｂ、２００ｃの位置情報を読み出し( Ｓ１８) 、この位置情報に基いて局地気象予測結果γ１、γ２、γ３を局地毎に統合の処理を行う( Ｓ１９) 。( ここでは住宅２０ａ、２０ｂ、２０ｃが局地Ｘ１に属しているので、局地気象予測結果γ１、γ２、γ３は局地Ｘ１の局地気象予測結果γとして統合される。) そして、この局地Ｘ１の局地気象予測結果γをストレージ１２０に記憶し( Ｓ２０) 、局地気象予測結果集計用割込プログラムの処理を終了する。
【００５０】
その後、センターサーバ１００は、局地Ｘ１の局地気象予測結果γをホームページ上で公開したり、所定期間( 例えば１カ月) 蓄積した後、局地Ｘ１の局地気象予測データとして気象センター１０等の気象関係機関や企業等に売却したりする( 即ち、外部に出力する) 。
【００５１】
このように構成された局地気象予測システムＡによる場合、サーバ２００ａ、２００ｂ、２００ｃがセンシングデータβ１、β２、β３及び局地Ｘ１の気象観測データαに基いてサーバ２００ａ、２００ｂ、２００ｃの住宅２０ａ、２０ｂ、２０ｃを中心とする半径５０ｍ以内の局地気象予測を行うようになっている。このため、従来例のごとくセンターサーバ１００にデータの処理が集中することがなく、センターサーバ１００の負担が非常に軽くなる。従って、センターサーバ１００は高性能なものを用いなくてもよいので、その結果として低コスト化を図ることができる。
【００５２】
この局地気象予測システムＡについては、以下のように設計変更することが可能である。
【００５３】
センターサーバ１００については、広域ネットワーク４００の回線接続を管理する管理サーバとしての機能を実現できるものであり、気象センター１０と広域ネットワーク４００を介して接続されており且つ気象センター１０から送信された広域の気象観測データαを受信してサーバ２００ａ、２００ｂ、２００ｃに配信する機能を有るものであればどのようなものを用いてもかまわない。従って、センターサーバ１００は、広域の気象観測データαをサーバ２００ａ、２００ｂ、２００ｃに向けて送信するとしたが、各サーバ２００ａ、２００ｂ、２００ｃの位置情報に基いて広域の気象観測データαから各サーバ２００ａ、２００ｂ、２００ｃが属する局地Ｘの気象観測データαを抽出し、当該局地Ｘの気象観測データαを各サーバ２００ａ、２００ｂ、２００ｃに向けて送信するようにしても良い。この場合、各サーバ２００ａ、２００ｂ、２００ｃは広域の気象観測データαから局地Ｘの気象観測データαを抽出する機能が不要になることは言うまでもない。
【００５４】
また、センターサーバ１００は、局地気象予測結果γ１、γ２、γ３を受信し、当該局地気象予測結果γ１、γ２、γ３の統合の処理を行うとしたが、この局地気象予測結果γ１、γ２、γ３の統合の処理を当該センターサーバ１００の代わりに、一又は複数のサーバ２００ａ、２００ｂ、２００ｃに代行させるようにすることも可能である。この場合、センターサーバ１００は、局地気象予測結果γ１、γ２、γ３を受信すると、サービスプロバイダー領域２２２ａ、２２２ｂ、２２２ｃのメモリ使用容量及びＣＰＵの稼働率の管理データを参照して前記処理の代行を行うに適した一又は複数のサーバ２００ａ、２００ｂ、２００ｃを探し、当該一又は複数のサーバ２００ａ、２００ｂ、２００ｃに対して暗号鍵ｋ１、ｋ２、ｋ３を含むアクセスデータと予測結果の統合処理を行うための統合処理プログラムとを送信する一方、当該一又は複数のサーバ２００ａ、２００ｂ、２００ｃのサービスプロバイダー領域２２２ａ、２２２ｂ、２２２ｃに暗号鍵ｋ１、ｋ２、ｋ３を用いてアクセスし、局地気象予測結果γ１、γ２、γ３を記録するようになっている。
【００５５】
一方、一又は複数のサーバ２００ａ、２００ｂ、２００ｃは、アクセスデータ等を受信すると、自身又は他のサービスプロバイダー領域２２２ａ、２２２ｂ、２２２ｃにアクセスし、その後、統合処理プログラムを処理して局地気象予測結果γ１、γ２、γ３の地域毎の統合の処理を行い、その結果をセンターサーバ１００に向けて送信するようになっている。
【００５６】
このようにすると、統合の処理を代行した一又は複数のサーバ２００ａ、２００ｂ、２００ｃのユーザーは、サービスプロバイダー領域２２２ａ、２２２ｂ、２２２ｃを局地気象予測結果γ１、γ２、γ３の統合のために貸す形となる。このため、センターサーバ１００の管理者は前記処理の代行に対する対価をユーザーに支払うようにすると良い。この支払いに関しては、サーバ２００ａ、２００ｂ、２００ｃの接続料金を減額しても良いし、ネットワーク上のショッピングなどに使用できるローカルマネー等をサーバ２００ａ、２００ｂ、２００ｃのユーザーに与えるようにしても良い。
【００５７】
さらに、センターサーバ１００は、各サーバ２００ａ、２００ｂ、２００ｃのセンシングデータβ１、β２、β３を、各サーバ２００ａ、２００ｂ、２００ｃの住宅を中心とする所定の範囲内に存在する他のサーバ２００ａ、２００ｂ、２００ｃに向けて各々送信するとしたが、予め定められた各サーバ２００ａ、２００ｂ、２００ｃの住宅が属する局地に存在する他のサーバ２００ａ、２００ｂ、２００ｃに向けてセンシングデータβ１、β２、β３各々送信するようにすることも可能である。
【００５８】
サーバ２００ａ、２００ｂ、２００ｃについてはホームサーバを用いるとしたが、これに限定されることはなく、少なくとも、広域の気象観測データに含まれる地域の気象観測データと、自身のセンシングデータに基いて局地気象予測を行う機能を実現することができる装置であればどのようなものを用いてもかまわない。
【００５９】
従って、サーバ２００ａ、２００ｂ、２００ｃは、センシングデータβ１、β２、β３がユーザー領域２２１ａ、２２１ｂ、２２１ｃに記憶されるとしたが、センシング機器３２０ａ、３２０ｂ、３２０ｃと公共領域２２３ａ、２２３ｂ、２２３ｃとを直接接続し、当該公共領域２２３ａ、２２３ｂ、２２３ｃに記憶させることも可能である。この場合、センターサーバ１００は、暗号鍵ｋ４、ｋ５、ｋ６を用いて公共領域２２３ａ、２２３ｂ、２２３ｃにアクセスし、抽出した局地Ｘ１の気象観測データαを記憶させると共に、所定期間毎に、暗号鍵ｋ４、ｋ５、ｋ６を含むアクセスデータと局地の気象予測を行うための局地気象予測処理プログラムとをユーザー領域２２１ａ、２２１ｂ、２２１ｃに送信するようになっている。
【００６０】
一方、サーバ２００ａ、２００ｂ、２００ｃは、アクセスデータ等を受信すると、暗号鍵ｋ４、ｋ５、ｋ６を用いて公共領域２２３ａ、２２３ｂ、２２３ｃにアクセスし、公共領域２２３ａ、２２３ｂ、２２３ｃで局地気象予測処理プログラムを処理して局地気象予測を行うようになっている。
【００６１】
また、サーバ２００ａ、２００ｂ、２００ｃは、各サーバ２００ａ、２００ｂ、２００ｃの住宅を中心とする所定の範囲内に存在する複数の住宅のセンシング機器３２０ａ、３２０ｂ、３２０ｃから複数のセンシングデータβ１、β２、β３を直接受信し、当該複数のセンシングデータβ１、β２、β３及び局地Ｘの気象観測データαとに基いて局地気象予測を行うように設計変更することが可能である。このように設計変更した場合、サーバ２００ａ、２００ｂ、２００ｃはセンターサーバ１００を介すことなく、他のサーバ２００ａ、２００ｂ、２００ｃのセンシングデータβ１、β２、β３を集めることができる。このようにすると、各サーバ２００ａ、２００ｂ、２００ｃに局地気象予測を行わせる必要がなく、各局地に設置される少なくとも一のサーバに局地気象予測を行わせるようにすルことも可能である。
【００６２】
なお、ここでは、ホームサーバであるサーバ２００ａ、２００ｂ、２００ｃを用いるとしたが、他のサーバ及び／又はパソコン等のクライアントを代わりに用いることも可能である。なお、サーバ２００ａ、２００ｂ、２００ｃのストレージ２２０ａ、２２０ｂ、２２０ｃに関してはユーザー領域２２１ａ、２２１ｂ、２２１ｃを有していれば良い。また、ユーザー領域２２１ａ、２２１ｂ、２２１ｃ、サービスプロバイダー領域２２２ａ、２２２ｂ、２２２ｃ及び公共領域２２３ａ、２２３ｂ、２２３ｃ以外の領域を設けることも当然可能である。
【００６３】
センシング機器３００ａ、３００ｂ、３００ｃについては、サーバ２００ａ、２００ｂ、２００ｃの周辺の局地気象を測定しセンシングデータβ１、β２、β３として送信することができるものであればどのようなものを用いてもかまわない。従って、住宅２０ａ、２０ｂ、２０ｃに設けられている必要はなく、例えば、サーバ２００ａ、２００ｂ、２００ｃと共に事業所等に設けられていても良いし、サーバ２００ａ、２００ｂ、２００ｃの近傍の電柱等に設けられても良い。また、センシングデータについても、気温、湿度及び風速風向に限定されることなく、測定する場所などに応じて気象予測に必要なセンシングデータを測定するようにすると良い。また、センシング機器３００ａ、３００ｂ、３００ｃはホームネットワーク５００を介してではなく、広域ネットワーク４００を介してセンターサーバ１００と接続するようにし、センターサーバ１００からサーバ２００ａ、２００ｂ、２００ｃにセンシングデータβ１、β２、β３を提供するようにしても良い。
【００６４】
広域ネットワーク４００については、光通信ネットワークを、ホームネットワーク５００については無線通信ネットワークを用いるとしたが、これに限定されることはなく、同様の機能を実現可能な広域ネットワーク、ホームネットワークであればどのようなものを用いてもかまわない。例えば、センターサーバ１００とサーバ２００ａ、２００ｂ、２００ｃとを無線の無線通信ネットワークで接続することも可能であるし、サーバ２００ａ、２００ｂ、２００ｃとセンシング機器３００ａ、３００ｂ、３００ｃとを有線の光通信ネットワークで接続することも可能である。
【図面の簡単な説明】
【００６５】
【図１】本発明の第１の実施の形態に係る局地気象予測システムのブロック図である。
【図２】気象観測データ送信用割込プログラムのフローチャートである。
【図３】センシングデータ分配用割込プログラムのフローチャートである。
【図４】局地気象予測集計用割込プログラムのフローチャートである。
【図５】センシングデータ送信用割込プログラムのフローチャートである。
【図６】センシングデータ記憶用割込プログラムのフローチャートである。
【図７】気象観測データ抽出用割込プログラムのフローチャートである。
【図８】局地気象予測用割込プログラムのフローチャートである。
【図９】局地気象予測結果送信用割込プログラムのフローチャートである。
【符号の説明】
【００６６】
１０    気象センター
１００  センターサーバ
２０ａ、２０ｂ、２０ｃ  住宅
２００ａ、２００ｂ、２００ｃ  サーバ
３００ａ、３００ｂ、３００ｃ  センシング機器
【図１】
2005221431.tif 000003
【図２】
2005221431.tif 000004
【図３】
2005221431.tif 000005
【図４】
2005221431.tif 000006
【図５】
2005221431.tif 000007
【図６】
2005221431.tif 000008
【図７】
2005221431.tif 000009
【図８】
2005221431.tif 000010
【図９】
2005221431.tif 000011